(57)【特許請求の範囲】
【請求項１】
玄関の玄関側壁が画定される取付収容部にヒンジで取り付けられた収納設備を備えた玄関収納システムであって、前記収納設備は、物品収納のための収納アセンブリと、前記玄関側壁に取り付けられ且つヒンジ軸を有するヒンジ接続部を含む壁取付アセンブリとを備え、前記収納アセンブリは、前記壁取付アセンブリに取り付けられ、前記収納アセンブリが前記玄関で障害物または部分的障害物を形成する第１の位置と、前記収納アセンブリが前記玄関に対してある角度を成し、障害なしに前記玄関を通過することを可能にする第２の位置との間で、前記玄関側壁に対して回転可能であり、
前記第１の位置に位置する場合、前記収納設備が前記取付収容部に収容される、収納システム。
【請求項２】
前記玄関側壁にヒンジで取り付けられ、ドアヒンジ部とドアヒンジ軸とを有するドアをさらに備え、前記収納アセンブリは、前記ドアに回転可能に連結され、前記第１の位置と前記第２の位置との間の開閉動作中に前記ドアを追従して前記ドアヒンジ軸を中心として回転する、請求項１に記載の収納システム。
【請求項３】
前記壁取付アセンブリの前記ヒンジ接続部の前記ヒンジ軸と前記ドアの前記ドアヒンジ軸とは、平行で且つ離隔されており、
前記収納アセンブリは、開閉動作中に、前記ヒンジ接続部の前記ヒンジ軸及び前記ドアの前記ドアヒンジ軸のそれぞれを中心として回転することができるように設けられる、請求項２に記載の収納システム。
【請求項４】
前記ドアの回転が前記ドアの前記ドアヒンジ軸を中心にした前記収納アセンブリの回転をもたらすように、前記収納アセンブリと前記ドアとが回転可能に連結され、前記ドアヒンジ部が前記収納アセンブリの重量を支持しないかまたは最小重量を支持することができるように、前記収納アセンブリと前記ドアとは重量連結されておらず、前記収納アセンブリの前記重量は前記壁取付アセンブリによって前記玄関側壁に伝達される、請求項２または３に記載の収納システム。
【請求項５】
前記収納アセンブリと前記ドアとの間の回転連結は解除可能であり、前記回転連結が解除された場合、前記収納アセンブリは開閉動作中に前記ヒンジ接続部の前記ヒンジ軸を中心としてのみ回転することができる、請求項４に記載の収納システム。
【請求項６】
前記壁取付アセンブリは荷重支持部を備え、前記収納アセンブリは前記荷重支持部に吊り下げられ、前記ヒンジ接続部は前記荷重支持部を前記玄関側壁に接続して前記荷重支持部の重量および前記収納アセンブリの重量を支持し、前記荷重支持部は前記ヒンジ接続部の前記ヒンジ軸に対してラジアル方向に伸縮可能である、請求項１から５のいずれか一項に記載の収納システム。
【請求項７】
収納装置と、前記収納装置を玄関側壁に取り付けるための壁取付装置と、を備える収納設備の収納アセンブリであって、前記収納装置は、裏材アセンブリに形成された１つの収納区画または複数の収納区画を含み、前記壁取付装置は、前記玄関側壁に取り付けるための壁取付部と、前記壁取付部が前記玄関側壁に取り付けられた場合に、前記収納装置を担持または支持するための重量支持部と、前記壁取付部と前記重量支持部とを相互接続するヒンジ接続部とを備え、前記重量支持部は、前記ヒンジ接続部のヒンジ軸を中心として前記壁取付部に対して旋回可能且つラジアル方向に伸縮可能である、収納アセンブリ。
【請求項８】
前記収納装置は前記壁取付装置の前記重量支持部に取り付けられ、前記収納装置は、前記ヒンジ接続部の前記ヒンジ軸を中心として前記壁取付部に対して旋回可能であり、前記ヒンジ軸と直交する前記ラジアル方向に前記ヒンジ接続部の前記ヒンジ軸に対して移動可能である、請求項７に記載の収納アセンブリ。
【請求項９】
前記収納装置はレールチャネル構造によって前記重量支持部に取り付けられ、前記収納装置は前記壁取付部に対して、前記ラジアル方向に摺動可能である、請求項８ に記載の収納アセンブリ。
【請求項１０】
前記裏材アセンブリは複数の細長い支持コンポーネントを含む剛性取付枠を備え、各細長い支持コンポーネントはラジアル方向に延び、前記細長い支持コンポーネントはアキシャル方向に沿って複数のアキシャル方向高さに配置され、前記壁取付装置の重量支持部は複数の細長い重量支持コンポーネントを含み、各細長い重量支持コンポーネントはラジアル方向に延び、前記細長い重量支持コンポーネントはアキシャル方向に沿って、前記細長い支持コンポーネントのアキシャル方向高さに対応するアキシャル方向高さに配置されている、請求項７から９のいずれか一項に記載の収納アセンブリ。
【請求項１１】
前記壁取付装置は前記重量支持部のラジアル方向の伸長およびラジアル方向の収縮または短縮を容易にするための拡張装置を備える、請求項７から１０のいずれか一項に記載の収納アセンブリ。
【請求項１２】
前記拡張装置は、前記重量支持部とヒンジ接続される第１のヒンジ部と、前記第１のヒンジ部より遠位にあり前記第１のヒンジ部及び前記ヒンジ接続部のそれぞれとヒンジ接続される第２のヒンジ部とを含む二重ヒンジ式ヒンジ接続部を備え、前記第１のヒンジ部及び前記第２のヒンジ部のそれぞれは、前記ヒンジ接続部と平行でかつ離隔したヒンジ軸を有する、請求項１１に記載の収納アセンブリ。
【請求項１３】
前記重量支持部は、アキシャル方向に延び、前記二重ヒンジ式ヒンジ接続部にヒンジ接続される荷重支持部材を備える、請求項１２に記載の収納アセンブリ。
【請求項１４】
前記壁取付装置、前記重量支持部のラジアル方向の伸長およびラジアル方向の収縮または短縮を容易にするための複数拡張装置を備え、
前記拡張装置は、前記重量支持部及び前記重量支持部に対応する前記ヒンジ接続部のそれぞれにヒンジ接続され、
前記拡張装置は、前記重量支持部とヒンジ接続される第１のヒンジ部と、前記第１のヒンジ部より遠位にあり前記第１のヒンジ部及び前記ヒンジ接続部のそれぞれとヒンジ接続される第２のヒンジ部とを含む二重ヒンジ式ヒンジ接続部を備え、前記第１のヒンジ部及び前記第２のヒンジ部のそれぞれは、前記ヒンジ接続部と平行でかつ離隔したヒンジ軸を有する、請求項１１に記載の収納アセンブリ。
【発明の詳細な説明】
【技術分野】
【０００１】
本開示は、収納に関し、より具体的には、玄関収納装置、収納アセンブリ、および玄関収納アセンブリを組み込んだ構造体に関する。
【背景技術】
【０００２】
使用可能な空間は、多くの主要都市で最も価値あるリソースの１つである。多くの都市居住者にとって、使用可能で便利な収納空間の不足は大きな問題である。
【発明の概要】
【０００３】
玄関収納システムが開示されている。本システムは、装置のアンサンブル（集合体）であり、玄関の玄関側壁にヒンジで取り付けられた収納設備を備える。収納設備は、物品収納のための収納アセンブリと、玄関側壁に取り付けられ且つヒンジ軸を有するヒンジ接続部を含む壁取付アセンブリとを備える。収納アセンブリは、壁取付アセンブリに取り付けられ、収納アセンブリが玄関で障害物または部分的障害物を形成する第１の位置と、収納アセンブリが玄関に対してある角度を成しており障害なしに玄関を通過することを可能にする第２の位置との間で、玄関側壁に対して回転可能である。
【０００４】
収納装置と、当該収納装置を荷重支持構造体に取り付けるための壁取付装置とを備える収納設備の収納アセンブリが開示される。収納装置は、剛性の取付装置に形成された一つの収納区画または複数の収納区画を備える。壁取付装置は、支持構造体に取り付けるための壁取付部と、壁取付部が重量支持構造体に取り付けられた場合に収納装置を担持または支持するための重量支持部と、壁取付部と重量支持部とを相互接続するヒンジ接続部とを備える。重量支持部は、ヒンジ接続部のヒンジ軸を中心として壁取付部に対して旋回可能且つラジアル方向に伸縮可能であり、ヒンジ軸はアキシャル方向（軸方向）およびアキシャル方向と直交するラジアル方向を画定する。
【図面の簡単な説明】
【０００５】
本開示は、添付の図面を参照して例として説明される。
【図１】停留していない構成で荷重支持構造体に取り付けられた収納アセンブリを含む収納設備の概略立面図である。
【図１Ａ】収納設備の頂部上方から見たＡ−Ａ’線に沿った図１の横断面図であり、点線の矢印は格納位置から開位置への収納アセンブリの動作を示す。
【図１Ｂ】図１の収納アセンブリ１００の構成要素を示す部分分解図である。
【図１Ｂ１】例示的な裏材アセンブリおよび例示的な壁取付アセンブリの一部を示す。
【図１Ｂ２】図１Ｂ１の例示的な裏材アセンブリのいくつかの構成要素を示す。
【図１Ｂ３】例示的な壁取付部の拡大図である。
【図１Ｂ４】図１Ｂ１の例示的な裏材アセンブリの一部の拡大図である。
【図１Ｃ】例示的な収納設備を取り外した図１の設備の概略立面図である。
【図２Ａ】収納アセンブリが格納位置にある場合の図１の収納設備の横断面図である。
【図２Ａ１】図１の高さＡ−Ａ’より下のアキシャル方向高さで得られた図２Ａの収納設備の横断面図であり、寸法例の単位はｍｍである。
【図２Ａ２】外部ゲートＧＤが開かれた状態での図２Ａ１の横断面図である。
【図２Ｂ】図２Ａの線Ｗ−Ｗに沿った図２Ａの収納設備の縦断面図である。
【図２Ｃ】外側から見たときの図２Ａ２の状態での収納アセンブリ１００の正面図である。
【図３Ａ１−３Ａ３】例示的な収納区画の一連の例示的な操作上の動作の一例を示す。
【図３Ｂ１−３Ｂ４】例示的な壁取り付け部の一連の伸縮動作を示す。
【図４Ａ１−４Ａ４】一連のドア開閉動作を示す。
【図４Ｂ１−４Ｂ４】図４Ａ１から４Ａ４のドアの開閉動作にそれぞれ対応する横断面図である。
【図５Ａ１−５Ａ４】一連のドア開閉動作を示す。
【図５Ｂ１−５Ｂ４】図５Ａ１から５Ａ４のドアの開閉動作にそれぞれ対応する横断面図である。
【図６Ａ−６Ｉ】収納装置の変形例を示す。
【図７Ａ１−７Ａ３】例示的な収納装置の操作上の使用例を示す。
【発明を実施するための形態】
【０００６】
統合収納システム１０は、図１および図１Ａに示すように、支持構造体２０に取り付けられた収納設備１００を備える。収納設備１００は、収納アセンブリ１２０と壁取付アセンブリ１４０とを備える。収納アセンブリ１２０は、収納装置と収納装置を支持する支持装置とを備える。支持装置は、オプションで、収納装置１２４を支持するための剛性骨格構造を有する裏材アセンブリ１２２である。収納装置１２４は、例えばアパートに出入りする場合に人々が必要とする物品用の一時的収納空間などの収納空間を提供する。例示的な収納装置は複数の収納区画を含み、収納装置はオプションで単一の収納区画を含んでいてもよい。収納装置は、裏材アセンブリ１２２に取り外し可能に取り付けられていてもよく、または一体的に形成されていてもよい。収納装置が可撓性であるかまたは形状が定まっていない場合、剛性裏材アセンブリ１２２により収納装置の横方向の長さおよび／または形状および寸法は維持される。
【０００７】
収納設備１００は、単一のユニットとしてまたは一体構造として支持構造体２０にオプションで取り付けられ、収納アセンブリ１２０によって支持される荷物の重量を含めた収納設備１００の重量は、完全にまたは少なくとも実質的に支持構造体２０によって支えられる。収納アセンブリ１２０は、壁取付アセンブリ１４０によって支持構造体２０に取り付けられ、収納アセンブリ１２０の重量は、壁取付アセンブリ１４０によって支持構造体に伝達される。
【０００８】
壁取付アセンブリ１４０は、荷重支持部と壁取付部とを備える。荷重支持部は、装填された（荷物が入れられた）収納アセンブリ１２０の重量を支えるためのものであり、装填された収納アセンブリ１２０の重量は壁取付部によって支持構造体に伝達される。壁取付部は、装填された収納アセンブリ１２０の重量が支持構造体２０によって支えられるかまたは実質的に支えられるように、壁取付アセンブリ１４０を支持構造体２０に取り付けるためのものである。閉位置と開位置との間でのドアヒンジを中心とした収納アセンブリ１２０の回転動作を容易にするために、荷重支持部は、閉位置と開位置との間で壁取付部（したがって支持構造体）に対して回転可能である。回転軸を中心とした荷重支持部の回転を容易にするために、壁取付部は、回転軸を画定するヒンジ軸を有するヒンジ接続部を備える。ヒンジ接続部は、例えば、荷重支持部の回転軸に対してラジアル方向に伸長可能かつ収縮可能な伸縮ヒンジ接続部であってもよく、ラジアル方向はヒンジ接続部のヒンジ軸およびヒンジ軸によって画定されるアキシャル方向と直交する。接続部ヒンジ軸とも呼ばれるヒンジ接続部のヒンジ軸は、収納装置１２４がドアに回転可能に連結される用途では、ドアのヒンジ軸と平行である。接続部ヒンジ軸は垂直または略垂直であり、収納アセンブリ１２０は、通常のまたは典型的な玄関収納用途において、ヒンジ軸を中心として水平または略水平に旋回可能である。ヒンジ接続部により、壁取付部に対するヒンジ接続部のヒンジ軸を中心とした荷重支持部の旋回が容易になる。いくつかの実施形態では、ヒンジ接続部はわずかに傾斜したヒンジ軸を有し、それにより、収納アセンブリ１２０が格納位置から遠ざかるとき収納アセンブリ１２０が格納位置に自動復帰するのが容易になる。
【０００９】
例示的な用途では、収納アセンブリ１００は、屋内または屋外設置用であり、例えば、住宅、建物、またはアパートなどの建物ユニット（まとめて「建物」）の内側または外側に設置される。空間の利用効率を高めるために、収納設備１００は、建物の内側または外側に位置し、建物の入口部において玄関の近くに位置する取付収容部に取り付けられる。取付収容部は玄関収容部区画を画定する。 
【００１０】
例示的な支持構造体２０は、図１および図１Ａに示すように、アパートなどの建物構造の壁の一部、例えば、アパートなどの建物構造の一体的な部分である。例示的な壁は、仕切り壁、例えば、アパートの内側の私的エリア２２または周囲を囲まれたエリア２２を私的エリアの外側の公共エリアまたは共用エリアから分離する仕切り壁である。進入開口部が壁に画定される。進入開口部は、アパートに入口を画定すると共に境界壁によって画定され、当該境界壁は、内側境界壁または外側境界壁であってもよく、アパートの入口で玄関を共同して画定する、また、進入面を共同して画定する第１の側壁２４および第２の側壁２６を含む。第１の側壁および第２の側壁のそれぞれは玄関側壁であり、各玄関側壁は垂直側壁であり、進入面は玄関側壁と直交する。この例では、第２の側壁は、第１の側壁と平行かつ対向しており、第１の側壁と共同して玄関の幅を画定する。
【００１１】
一般に、第１および第２の側壁は同じ厚さを有し、その厚さは玄関空間の深さを画定し、一方、第１の側壁と第２の側壁との間の離隔距離は玄関の幅を画定する。第１の側壁および第２の側壁は、玄関の左右対称軸である中心軸に対して対称に配置される。中心軸は第１の側壁と平行でありかつ進入面上にある。進入面は、人が玄関または進入開口部を通って建物の内外に移動する進入方向とほぼ直交する。幅は中心軸および進入方向と直交する方向で測定され、第１の側壁の深さまたは厚さは進入方向に沿って測定される。境界壁は、玄関の高さを共同して画定する上部および底部をオプションで含む。
【００１２】
例示的な境界壁は、ドア取付枠としてオプションで機能できる玄関枠を画定する。第１の側壁２４および第２の側壁２６は、例示的な玄関枠の２つの横の側壁（すなわち、左右の側壁）であり、共同してドア取付収容部を画定する。複数の進入ガードのうちの１つの進入ガードをドア取付収容部に取り付けてもよい。図１Ａおよび図１Ｂの例では、第１の進入ガードおよび第２の進入ガードがドア取付収容部に取り付けられている。例示的な第１の進入ガードは、例えば、第１の側壁の内側端部でのヒンジ接続によって、例えば、取付収容部の内側端部に取り付けられる内側ドア２７Ａであり、第１の進入側を画定する。例示的な第２の進入ガードは、例えば、第１の側壁２４の外側端部でのヒンジ接続によって、例えば、取付収容部の外側端部に取り付けられる金属製格子ゲートの形態の外側ドア２７Ｂであり、第２の進入側を画定する。第１の進入ガードおよび第２の進入ガードは、玄関収納容積２８としても知られる玄関収納空間を共同で画定する。格納位置にある収納設備１００は、図１Ａおよび図２Ａに示すように、この例ではドアとドアの間の空間である玄関収納空間２８の内側に配置または収容される。 
【００１３】
図１の例では、壁取付アセンブリ１４０は、図１Ｂ１に示すように、第１の側壁２４上でかつ玄関枠の内側端部と外側端部との中間に取り付けられる。例示的な壁取付アセンブリ１４０は、例示的な複数の４つの壁取付部を備える。各壁取付部は、壁取付装置１４２と、壁取付装置１４２に接続された荷重支持装置１４４とを備える。壁取付装置１４２は、支持構造体に取り付けるため、および支持構造体と荷重支持装置１４４とを相互接続するためのものである。壁取付装置は、壁取付プレートと、壁取付プレートと荷重支持装置１４４とを相互接続するヒンジ接続ジョイントと、を備える。ヒンジ接続ジョイントは、第１の側壁に平行でドアヒンジ軸に平行なヒンジ軸であるジョイント軸を有する。荷重支持装置１４４は、収納アセンブリ１２０の重量を支えるためのものであり、壁取付装置１４２のヒンジ軸と直交する方向に横方向に延びる荷重支持部材１４５Ａを含む。荷重支持装置１４４は、壁取付装置１４２のヒンジ接続ジョイントのヒンジ軸に対してラジアル方向である横方向への荷重支持装置１４４の伸縮を容易にするための拡張装置１４５Ｂを備える。荷重支持装置１４４によって支えられる荷重は、ヒンジ接続ジョイントを介して壁取付プレート（したがって支持構造体）に伝達される。例示的な拡張装置１４５Ｂは、図１Ｂ１および図１Ｂ３に示す折畳み式ジョイントである。例示的な折畳み式ジョイントは、第１のバー部分と、壁取付装置１４２のヒンジ軸と平行なヒンジ軸を有するヒンジジョイントによって接続された第２のバー部分とを含む二重ヒンジジョイントである。第１のバー部分は、壁取付装置１４２のヒンジジョイントに接続され、第２のバー部分は、例えば、壁取付装置１４２のヒンジ軸と平行なジョイント軸を有する別のヒンジジョイントによって荷重支持部材１４５Ａに接続される。ドア２７Ａが閉位置から開位置になる例示的な開動作中に、荷重支持装置１４４は、図３Ｂ１の実質的に折り畳まれた構成から図３Ｂ２のより展開された構成へ、図３Ｂ３の実質的に展開された構成へ、最後に図３Ｂ４の完全に展開された構成へと、徐々に拡張する。逆に、ドア２７Ａが閉じる場合、荷重支持装置１４４は、図３Ｂ４の完全に展開された構成から図３Ｂ１の実質的に折り畳まれた構成へ、徐々に収縮する。荷重支持装置１４４のラジアル方向の拡張性および収縮性により、裏材アセンブリ１２２と接続ジョイントのヒンジ軸との間のラジアル方向の距離が徐々に変化する開閉動作の間、荷重支持装置１４４と裏材アセンブリ１２２との間の連続的な重量支持連携が容易になる。したがって、ラジアル方向に伸縮可能な荷重支持装置１４４により、収納装置１２４に対する荷重支持が容易になる一方で、収納装置１２４とヒンジ接続部との間のラジアル方向の距離が変化し続ける間、収納装置１２４はヒンジ軸を中心として回転する。
【００１４】
荷重支持部材１４５Ａは、細長く、例えば、鋼、アルミニウムもしくはアルミニウム合金の金属棒、または例えばＰＣ、ＡＢＳもしくは他の硬質プラスチックでできた硬質プラスチック棒を含み、十分な重量支持強度を提供する。拡張装置１４５Ｂのバー部分は、オプションで同じ材料で作製される。いくつかの実施形態では、荷重支持装置１４４は、十分な荷重支持強度を提供するために直列および／または並列に接続された複数の拡張装置を含んでいてもよい。例示的な実施形態では、荷重支持装置１４４は単一の壁取付部を有していてもよい。
【００１５】
図１Ｂ１の例示的な壁取付アセンブリ１４０の横方向に延びる壁取付部は、長手方向を補強してより重い荷重を支持するために、長手方向に延びる剛性コネクタによって共に接続される。この例では、拡張装置１４５Ｂの全ての第２のバー部分は、剛性の長手状のバーによって強固に接続される。いくつかの実施形態では、壁取付装置に近接する荷重支持部材１４５Ａの端部を互いに強固に接続することができる。壁取付部が強固に接続されている場合、全ての構成する接続バー部分が第１の側壁を中心として同期して旋回し、第１の側壁に対して同期して拡張および／または収縮するように、接続バー部分の動作は同期する。荷重支持装置１４４はまとめて荷重支持部を形成し、壁取付装置１４２はまとめて壁取付アセンブリ１４０の壁取付部を形成する。
【００１６】
壁取付部のそれぞれは、個別にまたは独立して取り付けられてもよい。壁取付部が独立して取り付けられる場合、各荷重支持装置１４４Ａ、１４４Ｂ、１４４Ｃ、１４４Ｄは、図１Ｂ２に示すように、独立して移動可能であり、独立して伸長可能および／または独立して収縮可能である。代替的に、より迅速な取付けを容易にするために、選択された複数の壁取付プレートを単一のバー上に形成してもよい。
【００１７】
裏材アセンブリ１２２は、収納装置１２４を支持するための骨格構造を提供することができ、収納装置１２４の重量を支えるための剛性裏材装置を備える。例示的な裏材装置は、図１Ｂおよび図１Ｂ１に示すように、剛性裏材枠を備える。例示的な裏材枠は、図１Ｂ４に示すように、複数の剛性中空バー１２３Ａを備える。各中空バー１２３Ａは、横方向に延び、各中空バーはアキシャル方向の異なる高さに配置される。横方向に延びる中空バーは、オプションで複数の剛性長手方向バー１２３Ｂ、Ｃによって接続され、剛性中空バーは共同して単一の裏材アセンブリ１２２を形成する。剛性長手方向バーは、剛性の中空バーに対して直角に延びて剛性裏材構造体を形成する。いくつかの実施形態では、剛性中空バーは、互いに接続されていなくてもよいし、または強固に接続されていなくてもよい。各中空バーは、内側中空部を画定する内壁を有する。内側中空部は、荷重支持部材１４５Ａの断面と一致するような形状および寸法であり、それにより、細長い荷重支持部材１４５Ａは剛性中空バー１２３Ａの内側中空部にスムーズに摺動して出入りすることができる。各荷重支持部材１４５Ａと対応する剛性中空バー１２３Ａとは、組み立てられた場合に入れ子対（伸縮自在の対）を形成し、荷重支持部材１４５Ａは剛性中空バー１２３Ａの内側開口部に入れ子式に移動して出入りすることができる。荷重支持部材１４５Ａおよび内側開口部を有する対応する剛性中空バーはまたレールチャネルアセンブリを形成する。他の実施形態では、荷重支持部材１４５Ａは剛性中空バーとして形成されてもよく、バー１２３Ａは荷重支持部材１４５Ａの内側開口部内に摺動可能である。
【００１８】
スムーズな挿入および引抜きを容易にするために、複数の摩擦低減手段、例えばボールベアリングが荷重支持面である荷重支持部材１４５Ａの上面にオプションで設けられる。いくつかの実施形態では、裏材枠は単一の剛性中空バーのみを含んでいてもよい。
【００１９】
収納アセンブリ１２０を壁取付アセンブリ１４０に取り付けるために、収納装置１２４が取り付けられているか否かにかわらず、各剛性中空バーが壁取付アセンブリ１４０の対応する荷重支持部材１４５Ａと位置合わせされるように、裏材アセンブリ１２２は壁取付アセンブリ１４０と位置合わせされる。取付けのために収納アセンブリ１２０と壁取付アセンブリ１４０との位置合わせがなされると、裏材アセンブリ１２２が荷重支持部材１４５Ａ内に押し込まれる。収納アセンブリ１２０が壁取付アセンブリ１４０に取り付けられると、収納アセンブリ１２０は壁取付アセンブリ１４０に対してラジアル方向に摺動可能であり、支持構造体から離れる方向に摺動することによって壁取付アセンブリ１４０から取り外し可能である。壁取付アセンブリ１４０との取付け時に、裏材アセンブリ１２２に収納装置１２４が取り付けられていない場合、収納装置１２４を後で取り付けることができる。
【００２０】
収納アセンブリ１２０は、内側ドア２７Ａ（「連結ドア」）に連動されており、より具体的には回転連結されている。収納装置１２４が連結ドアと回転連結されると、収納アセンブリはドアの開閉中にドアヒンジ軸を中心とする連結ドアの回転運動に追従することができる。図１Ｂ４に示すように、収納アセンブリ１２０とドア２７Ａとの間の例示的な回転連動は、例示的な連動装置３０によって促進される。連動装置３０は、ドアの外面に取り付けられており、ドアの回転運動に追従する。例示的な収納装置１２４は、ドアと回転連結されているがドアとアキシャル方向に連結されていないので、収納装置１２４とドアはドアヒンジ軸の方向であるアキシャル方向に互いに自由に移動することができる。連動装置３０は、ドア２７Ａの外面に固定される第１のプレート部と、ドア２７Ａの外面と平行であり外面から変位された第２のプレート部と、第１および第２のプレート部を相互接続する中間プレート部とを備える。縦スロット３０Ａが、第２のプレート部に形成されている。この例では、縦スロットはスロットへの進入開口部を画定するために第２のプレート部の下方自由端で開口しており、スロットは進入開口部から上方に延びている。連動装置３０は、収納装置１２４の従動装置１２５と協働し、ドアに荷重が掛からないかまたは最小限の荷重しか掛からないようにして、動作の追従を容易にすることができる。例示的な従動装置１２５は、横方向に延びる剛性中空バー１２３Ａ、例えば裏材アセンブリ１２２の最上部を形成する横方向バー１２３Ａの前面に取り付けられる。前面は、玄関に面する面である。例示的な従動装置１２５は、図１Ｂ４に示すように、中空バー１２３Ａに取り付けられる基端部を有するステム部と、この基端部より遠位のステム部の自由端にある拡大ヘッド部とを備える。収納アセンブリ１２０と内側ドア２７Ａとが連動する場合、第２のプレート部は剛性中空バー１２３Ａの前面の前方にあり、ステム部はスロットを通って突出する。ドアが第１の側壁を中心として旋回運動または方向転換運動をする場合、従動装置１２５のステム部および拡大ヘッド部は、第２のプレート部と協働して、収納アセンブリ１２０と内側ドア２７Ａとの間の連結および連結の保持を容易にする。機械的動作リンクは、連動装置３０がドアから取り外されるか、もしくは従動装置１２５の範囲外に移動される場合、または拡大ヘッド部をステム部から除去する場合に、解除される。例示的な実施形態では、ステム部にねじ部が形成され、ねじ付きステム部の自由端に拡大ヘッド部をねじ込み、取り外し可能なヘッド部を有する従動装置１２５を形成してもよい。いくつかの実施形態では、スロット３０Ａは閉じた溝である。収納装置からドアへの重量移動の可能性を緩和または最小化するために、スロットはステム部の幅よりも大きい幅かまたはわずかに大きい幅を有し、ステム部は、スロットに沿って自由に摺動および／またはドアの外面と直交する方向にスロットの内外に自由に摺動することができる。スロットはまた、収納装置と連結ドアとの間の相対的なラジアル方向の動きを制限または限定する。
【００２１】
図１Ａおよび図２Ａを参照すると、ドア取付収容部は重量支持構造体２０に形成される。ドア取付収容部は、第１の側壁２４と第２の側壁２６とを含み、これらは共同して建物の進入面と進入開口部とを画定する。第１のドア取付枠が支持構造体の一方の側面に取り付けられてドア取付収容部の第１の側壁２４が形成され、第２のドア取付枠が支持構造体の反対側の側面に取り付けられてドア取付収容部の第２の側壁２６が形成される。第１のドア２７Ａはドア取付収容部の第１の進入側に取り付けられ、第２のドア２７Ｂはドア取付収容部の第２の進入側に取り付けられる。第１のドア２７Ａおよび第２のドア２７Ｂそれぞれは、ドア取付収容部に対して閉状態と開状態との間で移動可能である。ドアが閉状態にある場合、ドアは進入面と平行であり、横断障壁を形成し、進入開口部を遮断するかまたは部分的に遮断する。ドアが開状態にある場合、ドアは進入面に対してある角度をなしており、建物内への進入を可能とするまたは建物からの退出を可能とする通路を画定する。第１のドア２７Ａは、閉状態と開状態との間でドアヒンジ軸を中心として移動可能である。第１のドア２７Ａと第２のドア２７Ｂとの間には、玄関収納空間２８が画定される。収納アセンブリ１２０は玄関収納空間２８の内側に取り付けられる。収納アセンブリ１２０は、第１の側壁に取り付けられた取付けアセンブリ１４０のヒンジ接続部によって支持構造体に取り付けられ、収納アセンブリ１２０の重量は、全体ではないにしても、ほぼ壁取付アセンブリ１４０によって支持される。取付けアセンブリ１４０のヒンジ接続部は、ドア２７Ａのヒンジ軸からラジアル方向に変位したヒンジ軸を有する。収納アセンブリ１２０は第１のドア２７Ａに回転連結されており、ドアヒンジを中心とした第１のドア２７Ａの回転により、ドアヒンジ軸を中心とした収納アセンブリ１２０の回転運動が引き起こされる。収納アセンブリ１２０は、ドア軸からラジアル方向に変位したヒンジ軸を有するヒンジ接続部との荷重支持連携中に、ドア２７Ａのドア軸である第１のヒンジ軸を中心として回転することができるので、
【００２２】
図２Ａおよび図２Ａ１を参照すると、収納アセンブリ１２０は格納位置に停留している。格納位置にある場合、収納アセンブリ１２０は玄関収納空間２８内に完全に収容され、収納アセンブリ１２０は玄関での少なくとも部分的な障壁を形成する。格納位置にある場合、裏材アセンブリ１２２を含む収納装置１２４は、第１の側壁と直交し進入面と平行または同一平面上にある。格納位置にある場合、壁取付アセンブリ１４０の荷重支持部は、第１の側壁と直交し進入面と平行または同一平面上にある。
【００２３】
図２Ａの例示的状況では、内側ドア２７Ａと外側ドア２７Ｂの両方が閉じているか、または停留状態にある。閉状態または停留状態にある場合、それぞれのドアは、進入を妨害するために進入面と平行すなわち玄関側壁と直交しており、玄関ホールを横切って進入障壁を形成する。図２Ａ２に示すように、外側ドアが停留していないか開いている場合、収納アセンブリ１２０は外部に露出するが、図２Ｂおよび図２Ｃに示すように格納位置に留まったままである。いくつかの実施形態では、外側ドアはスライドレールに取り付けられ、摺動して開閉することができる。
【００２４】
一方、内側ドアが開かれる場合、すなわち、図１Ａに示すように、玄関収納容積または進入面から角度θだけ回転する場合、収納装置１２４はドア２７Ａの回転運動に追従し、進入面に対して角度θをなし、進入が可能となる。一般的には、この角度は３０度以上であり、通常３０度から９０度の間である。ドア２７Ａが開かれている場合、従動装置１２５は、ドアの開動作に追従し、壁取付装置１４２のヒンジ軸に対して旋回し、それによって従動装置１２５が旋回することにより、収納装置１２４が旋回する。ドア２７Ａと収納装置１２４は、ドアが収納装置１２４の重量またはそのかなりの重量を支える必要がないように機械的に連結されているが重量連結されていないので、連結ドアを回転させるためには、連結ドアにおよびドアヒンジ軸の周りに、荷重されたドアが容易に回転するのに十分な回転駆動力を加えるだけでよい。
【００２５】
収納設備１０が玄関収納容積２８から取り外されると、図１Ｃに示すように、玄関および玄関収納容積２８は解放される。
【００２６】
一連のドア開閉操作の一例を、図４Ａ１〜４Ａ４および４Ｂ１〜４Ｂ４に示す。
【００２７】
最初に、内側ドア２７Ａ、外側ドア２７Ｂ、および収納アセンブリ１００が停留状態にある場合、収納システム１０は図２Ａの閉状態にある。この閉状態にある場合、内側ドア２７Ａ、外側ドア２７Ｂおよび収納アセンブリ１００は全て玄関における進入障壁である。
【００２８】
建物から出る場合、人は内側ドア２７Ａすなわち連結ドアを開ける。連結ドアが開かれている場合、連結ドアと進入面との間の角度は、ゼロ（連結ドアが進入面と平行である場合）から進入に十分な開き角度、例えば、θまで徐々に大きくなる。図４Ａ１および図４Ｂ１に示すように、収納装置と連結ドアとの間の連動により、収納装置と進入面との間の角度もゼロからθまで徐々に増加する。この部分的開状態にある場合、外側のドアは建物の内部に露出するが、退出を妨害するための出口障壁として残る。
【００２９】
次に、ユーザは、図４Ａ２および図４Ｂ２に示すように、建物の内部２２から前進して玄関エリア内に移動して外側ドアを開ける。この両開き状態では、内側ドアと外側ドアの両方が開き、内部空間と外部空間とを相互連結する貫通通路が形成される。
【００３０】
ユーザが玄関の外側にいる場合、ユーザは内側ドアと外側ドアを閉じ、図４Ａ３、４Ａ４、４Ｂ３、４Ｂ４に示すように、収納システムはその閉状態を回復する。
【００３１】
一連のドア開閉操作の一例を図５Ａ１〜５Ａ４および５Ｂ１〜５Ｂ４に示す。
【００３２】
最初、収納システム１０は図２Ａの閉状態にある。この閉状態では、玄関は進入方向と退出方向の両方で閉じられており、玄関収納空間は内側ドアと外側ドアとの間に囲まれた閉鎖空間または密閉空間である。
【００３３】
建物内に入るためには、人は外側ドア２７Ｂを開ける。図５Ａ１および図５Ｂ１に示すように、外側ドアが進入に十分な角度にある場合、内側ドア２７Ａおよび収納装置は露出しアクセス可能であるが、進入を妨害する進入障壁として残る。収納システム１０がこの部分的開状態にある場合、内側ドア２７Ａおよび収納アセンブリ１００は、玄関での進入障壁として残る。
【００３４】
次いで、ユーザは外側ドアが開いたままで内側ドア２７Ａすなわち連結ドアを開く。連結ドアが開かれている場合、連結ドアと進入面との間の角度は、ゼロ度（連結ドアが進入面と平行である場合）から進入に十分な開き角度、例えば、θまで徐々に大きくなる。図５Ａ２および図５Ｂ２に示すように、収納装置と連結ドアとの間の連動により、収納装置と進入面との間の角度もゼロからθまで徐々に大きくなる。このさらなる部分的開状態では、玄関での全ての進入障壁が解放される。
【００３５】
図５Ａ３および５Ｂ３に示すように、連結ドア２７Ａが開かれた後、ユーザは建物の内部に入り、外側ドア２７Ｂを閉じる。
【００３６】
続いて、図５Ａ４および５Ｂ４に示すように、ユーザは外側ドア２７Ｂを閉じ、システム１０は図２Ａの閉状態を回復する。
【００３７】
ユーザは、例えば図４Ｂ１、４Ｂ２、４Ｂ３および５Ｂ１、５Ｂ２、５Ｂ３の開状態にある場合、物品の収納および／または取出しのために収納装置にアクセスすることができる。
【００３８】
本発明における第１のドアおよび第２のドアのそれぞれは、進入障壁（進入ガードとしても知られる）、より具体的には、玄関を通る通路を遮断または妨害するための再度閉鎖可能な進入障壁として機能することを意図する。
【００３９】
いくつかの実施形態では、収納システムは単一の進入障壁のみ、例えば外側ドアまたは内側ドアのみを有してもよいし、収納設備１００は、単一の進入障壁に回転連結してもよいし、または進入障壁に連動しなくてもよい。収納システムが単一の進入障壁を有する場合、玄関収納空間は建物の内部または外部から常にアクセス可能である。玄関収納設備が連結ドアと回転連結されている場合、単一の進入障壁または全ての進入障壁が開状態にある場合、玄関に通路が形成される。
【００４０】
別の実施形態では、収納システムは進入障壁として追加のドアを有していなくてもよく、格納位置にある収納システムは、玄関を横切るまたは玄関における進入障壁または部分的進入障壁として機能していてもよい。玄関収納設備が収納アセンブリへの追加の進入障壁を有しない場合、玄関は収納システムが開状態にあるか閉状態にあるかに応じて開閉される。
【００４１】
いくつかの実施形態では、連結進入障壁（連結ドアとしても知られる）と収納アセンブリとの間の回転連結を容易にすることができる連動機構は、必要または所望のときには収納アセンブリの独立した操作を容易にする解除可能連結機構である。進入障壁と収納アセンブリとの間の回転連動が解除されると、収納アセンブリは連結進入障壁のヒンジに機械的に連結されないか、またはもはや機械的に連結されない。この解除状態または非連結状態にある場合、収納アセンブリは、開閉操作中の壁取付アセンブリのヒンジ接続部のヒンジ軸であるそれ自体のヒンジを中心として回転することができるが、連結進入障壁のヒンジ軸を中心として回転することはない。
【００４２】
図１の実施形態を含めていくつかの実施形態では、進入障壁は、金属格子ドアなどの格子進入ガードと、木製ドアなどの非格子密閉ドアとを含む。
【００４３】
例示的な収納装置１２０は、図１、図２Ｂ、および図６Ａ〜図６Ｉに示すように、複数の収納区画を備える。収納区画は、それぞれ定まった形状と定まった収納容積を有する複数の剛性収納キャビネットに配列される。収納区画は裏材パネルに取り付けられ、行と列のマトリックス状に配列される。収納キャビネットは、モジュール式収納キャビネットであってもよく、その各々は、裏材アセンブリ１２２の剛性骨格構造部材に個別にまたは独立して取り付けることができる。いくつかの実施形態では、収納キャビネットは、単一セットの収納キャビネットとして形成されてもよい。いくつかの実施形態では、収納キャビネットは、一般性を失うことなく単一のユニットとして剛性骨格構造部材と一体化されてもよい。いくつかの実施形態では、収納区画は、柔らかいおよび／または可撓性材料で作られた収納ポケットを備えていてもよく、柔軟な収納効用を促進するために定まった形状を有していなくてもよい。
【００４４】
例示的な収納キャビネットは、図３Ａ１〜図３Ａ２に示すように自動復帰式キャビネットである。収納キャビネットは、剛性メインキャビネット枠に、水平ヒンジ軸を有する一対のヒンジによってヒンジ取付される。一対のヒンジはキャビネット下端近くに取り付けられ、キャビネットは、荷重があってもなくても、開いたときに、その重心によりヒンジ軸を中心とした重心モーメントのためにその閉位置に自動復帰するように設計される。一般的に、キャビネットの重心は常にヒンジ軸の後ろでかつ上部に位置することができる。
【００４５】
支持構造体または玄関枠は、コンクリート、モルタル、木材、鋼、アルミニウム、亜鉛メッキ鉄、金属または金属合金、複合材料、プラスチック、支持構造体の形成に適した任意の材料、またはそれらの組合せで作ることができる。
【００４６】
ドア取付枠は、木材、鋼、アルミニウム、亜鉛メッキ鉄、金属または金属の合金、複合材料またはプラスチック、ドアおよびゲート取付けの形成に適した任意の材料で作ることができる。
【００４７】
本開示を、実施例および図面を参照して説明してきたが、実施例および図面は限定または制限として意図していないことを理解すべきである。例えば、本発明における垂直、水平、平行、直交などの用語は、一般性を失うことなく、それぞれ、実質的に垂直、実質的に水平、実質的に平行、実質的に直交などを含む。その理由は、単数名詞は単数の項目に限定されず、文脈上他の意味を指定しない限り、複数の項目をカバーすることがあるからである。同様に、複数名詞は、複数の項目を指すための限定として意図されておらず、文脈が必要とする場合もしくは許容する場合、または文脈上他の意味を指定しない限り、単数項目を指すことがある。
【符号の説明】
【００４８】
収納システム      １０
支持構造体        ２０
内部エリア        ２２
第１の側壁        ２４
第２の側壁        ２６
玄関収納空間      ２８
連動装置          ３０
収納設備        １００
収納アセンブリ  １２０
裏材アセンブリ  １２２
横方向部材      １２３Ａ
アキシャル方向部材      １２３Ｂ
収納装置        １２４
従動装置        １２５
壁取付アセンブリ  １４０
壁取付装置    １４２
荷重支持装置      １４４
荷重支持部材      １４５Ａ
拡張装置        １４５Ｂ
【図１】
0006905766.tif 000002
【図１Ａ】
0006905766.tif 000003
【図１Ｂ】
0006905766.tif 000004
【図１Ｂ１−１Ｂ２】
0006905766.tif 000005
【図１Ｂ３】
0006905766.tif 000006
【図１Ｂ４】
0006905766.tif 000007
【図１Ｃ】
0006905766.tif 000008
【図２Ａ】
0006905766.tif 000009
【図２Ａ１】
0006905766.tif 000010
【図２Ａ２】
0006905766.tif 000011
【図２Ｂ】
0006905766.tif 000012
【図２Ｃ】
0006905766.tif 000013
【図３Ａ１】
0006905766.tif 000014
【図３Ａ２】
0006905766.tif 000015
【図３Ａ３】
0006905766.tif 000016
【図３Ｂ１】
0006905766.tif 000017
【図３Ｂ２】
0006905766.tif 000018
【図３Ｂ３】
0006905766.tif 000019
【図３Ｂ４】
0006905766.tif 000020
【図４Ａ１】
0006905766.tif 000021
【図４Ａ２】
0006905766.tif 000022
【図４Ａ３】
0006905766.tif 000023
【図４Ａ４】
0006905766.tif 000024
【図４Ｂ１】
0006905766.tif 000025
【図４Ｂ２】
0006905766.tif 000026
【図４Ｂ３】
0006905766.tif 000027
【図４Ｂ４】
0006905766.tif 000028
【図５Ａ１】
0006905766.tif 000029
【図５Ａ２】
0006905766.tif 000030
【図５Ａ３】
0006905766.tif 000031
【図５Ａ４】
0006905766.tif 000032
【図５Ｂ１】
0006905766.tif 000033
【図５Ｂ２】
0006905766.tif 000034
【図５Ｂ３】
0006905766.tif 000035
【図５Ｂ４】
0006905766.tif 000036
【図６Ａ】
0006905766.tif 000037
【図６Ｂ】
0006905766.tif 000038
【図６Ｃ】
0006905766.tif 000039
【図６Ｄ】
0006905766.tif 000040
【図６Ｅ】
0006905766.tif 000041
【図６Ｆ】
0006905766.tif 000042
【図６Ｇ】
0006905766.tif 000043
【図６Ｈ】
0006905766.tif 000044
【図６Ｉ】
0006905766.tif 000045
【図７Ａ１】
0006905766.tif 000046
【図７Ａ２】
0006905766.tif 000047
【図７Ａ３】
0006905766.tif 000048